(57)【要約】  肢の血液量を抑制する段階において圧力を加える装置で、それにより１つ以上の弾性タイトスリーブが肢上で体の中央方向に巻き出される装置。その巻き出しは１つ以上の補助装着ストラップを用いて効率化される。絞扼環体が主な抑制元として使用される実施態様もある。（図１）
2005511190.tif 000002
【特許請求の範囲】
【請求項１】
肢の血液量を抑制する肢を絞扼する弾性タイトスリーブを備えた装置であって、１つ以上の前記肢に転動により装着する絞扼手段と、１つ以上の補助ストラップとから成る装置。
【請求項２】
弾性絞扼環体が主要な圧縮要素として使用される請求項１に記載の装置。
【請求項３】
前記タイトスリーブには薬品が塗ってある請求項１に記載の装置。
【請求項４】
前記１つ以上の補助ストラップは、装着ストラップである請求項１に記載の装置。
【請求項５】
前記１つ以上の補助ストラップは、取り外し可能なストラップである請求項１に記載の装置。
【請求項６】
前記ストラップが付属のハンドルを有する請求項１に記載の装置。
【請求項７】
前記絞扼環体は、単数の均質で中実なリングである請求項２に記載の装置。
【請求項８】
前記絞扼環体は、チューブ状である請求項２に記載の装置。
【請求項９】
前記絞扼環体は、空隙容量を含む請求項２に記載の装置。
【請求項１０】
前記絞扼環体は、内側リングを含む請求項８に記載の装置。
【請求項１１】
前記絞扼環体は、少なくとも部分的に潤滑剤を充填した空隙容量を含む請求項２に記載の装置。
【請求項１２】
患者の肢に1つ以上の絞扼手段を装着する装着リング。
【請求項１３】
前記絞扼手段は、前記肢の血液量を抑制するために肢に装着する絞扼手段の不注意によるずれを防ぐ安全ベルト。
【請求項１４】
それにより、少なくとも１つの弾性タイトスリーブが肢上で体の中心方向に巻き出されて前記肢にその末端から付近の端の方に進行的に圧力を加え、前記巻き出しが１つ以上の補助ストラップを使用して効率化される、肢の血液量を抑制する方法。
【請求項１５】
絞扼環体が前記肢に一方向に装着される請求項１４に記載の方法。
【発明の詳細な説明】
【技術分野】
【０００１】
本発明は、一般的に医療機器に関する。さらに詳しくいえば、本発明は外来治療の分野に属し、手術における血液処置を目的とする。
【背景技術】
【０００２】
血行動態的ショックは、相変わらず重大な病気及び死亡の最も多い原因である。脳、心臓、肝臓及び消化器系のような主要な器官への不十分な血液の供給により、急速な機能悪化を伴った器官不全が起こり、治療されない場合は回復不能な障害が起きる。ショックの原因は、血液量の減少又は不適切な血管の拡張のいずれかである。いずれの状態も、結果的に血流及び血圧の低下をまねく血液量と血管容量とが不一致になる。ショックの究極的な治療は、血液量と血管容量との正常な関係を回復することにある。この治療には通常適切に備え付けられた設備の中で熟練医療スタッフによる看護が必要である。ショックの開始時から主要な器官への回復不能な障害が起こっていない場合は、これらの治療方法のみが成功し得る。血液の流れを変え、筋肉、骨及び皮膚のような長期にわたる血液の供給がないことに耐えることができる組織から血流をそらし、主要な器官に向けることによりこれを達成できる。
【０００３】
整形外科医は、手足の手術中時に血流変換もよく行う。手術が行われる予定の肢にきつく包帯を巻き、「無血化した」手術域を作り出すために肢の末端に約２５０ｍｍＨｇ加圧して空気式カフを膨張させることでこれを達成する。
【０００４】
血流変換の別の態様は、下肢の脈（正常で静脈瘤である）内に望ましくない血液が貯留するのを防ぐきつく締めるサポートストッキング、圧迫ホース、又は弾性スリーブを使用することである。この装着は、浅静脈血栓病又は深静脈血栓病をまねく血管内に凝固するようになる血液の静脈うっ血性の原因になり得る深静脈及び浅静脈の容量を抑制することに重点が置かれる。静脈を収縮させるのに必要な圧力は、動脈血の出血とその阻止に必要な圧力よりもかなり低くて、２０ｍｍＨｇから６０ｍｍＨｇまでの範囲である。同様に、ケガや皮膚病又は火傷の治療に薬用クリーム、薬用ゼリー、又は軟膏を塗った密着するチューブ状の弾性包帯を疾患があり、ケガをした、又は火傷をした肢に巻くのが好ましいことが多い。治療の最良の臨床結果を得るために、このチューブ状の包帯を皮膚面に密着させて巻かなければならない。
【０００５】
米国特許番号４８４８３２４の中で開示されたショックの治療には、血液を全身循環の方へ移動させるために、肢にはめ得る環状圧縮リングを作るためにはめる長い弾性スリーブが含まれる。
【発明の開示】
【発明が解決しようとする課題】
【０００６】
本発明の目的は、患者の肢に素早く簡単に装着できる肢の無血域化装置及び方法を提供することである。
【課題を解決するための手段】
【０００７】
本発明の要旨とするところは、肢の血液量を抑制する肢を絞扼する弾性タイトスリーブを備えた装置であって、１つ以上の前記肢に転動により装着する絞扼手段と、１つ以上の補助ストラップとから成る装置であることにある。
【０００８】
前記装置においては、弾性絞扼環体が主要な圧縮要素として使用され得る。
【０００９】
前記タイトスリーブには薬品が塗ってあり得る
【００１０】
前記１つ以上の補助ストラップは装着ストラップであり得る。
【００１１】
前記１つ以上の補助ストラップは取り外し可能なストラップであり得る。
【００１２】
前記ストラップは付属のハンドルを有し得る。
【００１３】
前記絞扼環体は単数の均質で中実なリングであり得る。
【００１４】
前記絞扼環体はチューブ状であり得る。
【００１５】
前記絞扼環体は空隙容量を含み得る。
【００１６】
前記絞扼環体は内側リングを含み得る。
【００１７】
前記絞扼環体は少なくとも部分的に潤滑剤を充填した空隙容量を含み得る。
【００１８】
又、本発明の要旨とするところは、患者の肢に1つ以上の絞扼手段を装着する装着リングであることにある。
【００１９】
前記絞扼手段は、前記肢の血液量を抑制するために肢に装着する絞扼手段の不注意によるずれを防ぐ安全ベルトであり得る。
【００２０】
更に、本発明の要旨とするところは、それにより、少なくとも１つの弾性タイトスリーブが肢上で体の中心方向に巻き出されて前記肢にその末端から付近の端の方に進行的に圧力を加え、前記巻き出しが１つ以上の補助ストラップを使用して効率化される、肢の血液量を抑制する方法であることにある。
【００２１】
前記方法においては、絞扼環体が前記肢に一方向に装着され得る。
【発明の効果】
【００２２】
本発明によると、患者の肢に素早く簡単に装着できる肢の無血域化装置及び方法が提供される。長時間のフライトのような長時間立っていて、座っている間に静脈うっ血の合併症に至ってしまう人に迅速でむらのなく装着することが促進される肢の無血域化装置及び方法が提供される。
【発明を実施するための最良の形態】
【００２３】
本発明装置の一つの実施態様は、血液の流れを変え、心臓の拍出量を肢からそらし、体の中心部の血液循環に向けることによるショックの救急処置にある。別の代表的な実施態様は、「無血化した」手術域を作り出すために手術時に使用される肢の手術にある。この使用について、場合によっては装置によって清潔で無菌の環境が提供され、様々なサイズの肢に適用できる。後述するように、肢から血液を無血域化することでこのような作業を行う。
【００２４】
さて第１図について説明する。同図で本発明の好適な実施態様の一般的な構造を説明する。第１図は、補助装着ストラップ２４の内１つとストラップ引っ張りハンドル２６の内１つを備え弾性リング状構造体２２に巻き重ねた弾性タイトスリーブ２０の断面図を示す。以後絞扼環体と呼ぶリング状構造体は、肢の動脈血圧、毛細血管の血圧、及び静脈血圧に耐えるのに必要である力を発生させることによって主要な圧縮要素としての役割を果たす。弾性スリーブ２０は、米国ＣｏｎｖａＴｅｃ社のＴｕｂｉｇｒｉｐ(のような弾性材料でできている。弾性絞扼環体と巻き重ねたスリーブを一緒に用いて太い弾性絞扼環状体（ＥＣＡ）２８を形成する。ＥＣＡによって肢に付加される圧力は、周りを取り囲んだ弾性スリーブの付加された圧縮力のため、またスリーブ付きの環状体の内径が縮小したため、絞扼環体構造体だけを絞扼することによって付加されたはずの圧力よりも高い。開口部の直径の縮小、又は／及び絞扼環体の適合、又は／及びスリーブ材料により、本発明の環状体によって肢に加えられる締め付け圧力が増大する。
【００２５】
補助装着ストラップ２４とその付属のハンドル２６は、肢にＥＣＡを装着するのを効率化する手段として使用される。ストラップ２４と一般に図示されていない少なくとももう一方のストラップとを弾性スリーブ２０の傍らにあるリングに付ける。ハンドル２６を引っ張るとき、弾性スリーブ２０が巻き出されるにつれてＥＣＡが肢を回り上がる。補助取り外しストラップ（図示せず）を選択的に弾性スリーブ２０の下に取り付けてもよく、これにより補助取り外しストラップを引っ張るとき、環状体が肢を回り下がり、弾性スリーブ２０がリング２２の回りを再び囲む。一般にすべてのストラップは薄くてしかも丈夫な布から作られている。
【００２６】
本発明の好適な実施態様では、補助装着リングはオプションである。第２図について説明すると、同図に示すように、ＥＣＡ２８は足首／手首を通り越す。この位置において、ハンドル２６で装着ストラップ２４を肢に沿って引っ張ることができる。ＥＣＡを装着するには、ＥＣＡを最初に剛な装着リング３０から取り外して肢にはめる。それから、装着ストラップ２４を更に引っ張るにつれて、弾性タイトスリーブを徐々に巻き出していく間にＥＣＡが肢を回り上がる。ＥＣＡが回り上がる間に、絞扼環体と弾性スリーブ２０を巻いた残りが動脈血圧、毛細血管血圧、及び静脈血圧よりも高い圧力を絶えず肢に加える。この圧力により、血液が肢から流れ出る原因になり、それによって血液を生命器官に輸血することになり、末端部位からより基部までの段階において肢を絞扼し、そうすると患者の血圧が高くなる。ＥＣＡによって生じた締め付け圧力は、動脈の血圧よりも高いが、その下の組織を損なう原因になり得る血圧よりも低い。
【００２７】
さて第３図について説明する。第３図に示すように、ＥＣＡ２８を患者の肢に回き上げる。装着リング３０は、足首部位にあって簡単に取り外せたり、捨てたりできる。弾性スリーブ２０は、肢を密着して覆い圧迫するが、この構成において絞扼環体と取り付けられた弾性スリーブの残りとを含むＥＣＡ２８によって加えられた締め付け圧力は、このような作用には影響されないので、治療又は他の理由で皮膚の表面に近づける必要がある場合は、切り取ったり、捨てたりもできる。ＥＣＡによって加えられた締め付け圧力は、本発明のこの実施態様では重大な血液抑制要素であり、肢の血液の流れを完全に止める。弾性スリーブが全て巻かれたままで肢にＥＣＡを完全にはめるような装着例では、ＥＣＡは基本的に血液が肢に再び流れるのを防ぐ絞扼環体から構成される。
【００２８】
この形状で装着ストラップ２４は突出している。この形状で患者からＥＣＡを取り外すのを容易にするために、図示していないが、丈夫で薄い布でできているもう２組のストラップを巻き出されたＥＣＡの残りに取り付ける。剛な装着リング３０の役割は、比較的太いＥＣＡを巻き出した形状でかかと又は手のひらというより広い箇所に素早く装着するのを容易にすることである。装着要素は、一般にＥＣＡを支持し、リングがはずれないようにする凹面形のくぼみを備えた楕円形である。装着リングはプラスチック樹脂のような少々曲げられる材料でできている。
【００２９】
ＥＣＡは、大柄な人と小柄な人に合うように異なる大きさで作ることができる。また、肢の下部と上部のそれぞれに合うように２種類の大きさを作ることがある。大人の肢の上部用サイズは子供の肢の下部に適用され得るという事実により融通性が増す。
【００３０】
本発明の絞扼環体は数多くの形状のいずれでもよい。１個の均質で剛なリングできている均質な断面の絞扼環体が最も単純な形状である。適切に装着した場合、このような絞扼環体は血液を駆血する働きをするが、特に速さが関心事項である場合は、その装着にはかなりの物質的強度と緻密さが必要である。また、一般的にＥＣＡの弾性要素と人体の表面との間がより大きく接触するのが好ましい。これは、より幅が広いリングによって生じる圧力により局部的な痛みがより少なくなり、下層組織への損傷の可能性が少なくなるより大きな領域に分散されるからである。その上、太いリング上の改良されたグリップによりリングを肢の上の方に上げ易くなる。しかし、リングが輪状である場合は、肢の上の方に移動させるにつれて、それ自体の周りに回転させるにはより大きな筋力が必要になり、より大きいリングの装着が必要になる。
【００３１】
第４図から第５図では、装着が非常に簡単であるという望ましい効果を達成するのに使用され得る絞扼環体の別の態様を示す。第４図は、その空隙容量内にリング６４のような内側リングを備えた可撓性環状チューブ６２から成る弾性絞扼環体６０の断面図を示す。備えられた１つ又は複数のリングは通常は均質である。このような実施態様の別の選択的な態様は、潤滑剤である。備えられた弾性リングと可撓性環状チューブ６２の間には、指定された斜線箇所６６を完全に又は部分的に充填している潤滑剤が取り付けられる。この潤滑剤は、環状チューブ６２と内側弾性リングとの間の摩擦を少なくする。環状チューブ６２を肢にはめるとき、内部の弾性リングはほとんど回転せずに肢から抜くのに対して、環状チューブはそれ自体の軸を中心に回転する。
【００３２】
さて第５図について説明する。同図は、絞扼環体の別の好適な実施態様を説明する。中実の一体構造のトーラスと比較すると、この例では肢に回き上げるとき、肉厚の厚い弾性チューブ状トーラス８０がより拡張する。トーラスが拡張すれば、装置をよく把持でき、皮膚表面のより広い領域に圧力が分散される。弾性トーラスの斜線で表された空隙容量８２は、粒状又は濃い液体注入で充填される。充填物は、弾性リングの厚みを増大させ、チューブが潰れるのを防ぐ。この設計の長所は、この弾性リングがその軸を中心にして回るのに、まったくの中実で充填するリングよりもより小さな力ですむ。弾性チューブ状環体はシリコン又はゴムのような弾性材料で作られ得るか、又は延ばし、圧縮した後に元の形又は位置に戻る、ねじれた、曲がった、又はコイル状の金属あるいはワイヤー（バネ）によって内側に支持され得る。
【００３３】
異なる要素、弾性Ｏ型リング及び異なったスリーブを備えた本発明のモジュラー装置により、製造の経済性を改善し、アレルギーの原因になる乳液の使用の必要性を回避する材料と物性の柔軟性が可能になる。本発明において、その役割が主として幾何スペーサであるスリーブと、締め付け圧縮力の大きさを生み出す弾性リングとの間には明確な区別がある。このモジュラー方法は、円形でない断面を持つ装置の使用を促進し、身体の表面上の接触領域を調整する。本発明の実施態様では、装着リング、装着ストラップ及び引っ張りハンドルを使用することで、肢に装置を装着することが効率化され、非常に迅速になり得る。固定ベルトは、不注意によるＥＣＡのずれを防ぐ肢に装着できる付加的な器具である。
【００３４】
本発明は、弾性絞扼環体を使用しないで実施できる。先行技術のストッキング又はホースのようなチューブ状の予め巻き重ねられた弾性タイトスリーブを巻き出し、密着して装着するために引っ張りストラップを用いることにより、長時間のフライトのような長時間立っていて、座っている間に静脈うっ血の合併症に至ってしまう人にこのような弾性タイトスリーブの迅速でむらのなく装着することが促進される。このような弾性タイトスリーブ又はホースは、一般に円錐形又は圧縮圧力の均一な分配を行うために、肢の形に合わせている。本発明の別の態様は、薬を塗った予め巻き重ねたタイトスリーブ又は薬用クリーム、薬用ゼリー又は軟膏を予め塗った又は予め吸収しているタイトスリーブである。このような弾性タイトスリーブは、引っ張りストラップを胴体の方へ引っ張ることにより患者の肢に素早く簡単に装着できる。
【図面の簡単な説明】
【００３５】
【図１】装着ハンドルとストラップのひとつを示す本発明の装置の断面図である。
【図２】オプションの剛な装着リングを備えている本発明の装置の略図である。
【図３】人の下肢の巻取用スリーブの側面図である。
【図４】多数の潤滑中実環体を含んでいるチューブ状環体を備えた環状リング構造体の断面図である。
【図５】本発明に係る空洞を含んでいる環体構造体の断面図である。
【符号の説明】
【００３６】
２０：弾性タイトスリーブ
２２：弾性リング状構造体
２４：補助装着ストラップ
２６：引っ張りハンドル
２８：弾性絞扼環状体（ＥＣＡ）
３０：装着リング
６０：弾性絞扼環体
６２：可撓性環状チューブ
６４：リング
８０：弾性チューブ状トーラス
８２：空隙容量
【図１】
2005511190.tif 000003
【図２】
2005511190.tif 000004
【図３】
2005511190.tif 000005
【図４】
2005511190.tif 000006
【図５】
2005511190.tif 000007
【国際調査報告】
2005511190.tif 000008
2005511190.tif 000009
2005511190.tif 000010